(57)【要約】【課題】１人の作業者が長い距離を測定することができるだけでなく、巻き取りに際して、支障が生じないようにした巻尺を提供する。【解決手段】この巻尺は、長尺な目盛帯１が巻回された状態から繰り出され、また、巻回された状態に巻き取られるもので、この目盛帯１の先端に仮固定手段２が取り付けられている。仮固定手段２は、繰り出された目盛帯１よりも下向きとなる垂下姿勢と、目盛帯１の長さ方向と同一方向となる横向姿勢とに方向転換可能な突出片１０と、該突出片１０を垂下姿勢でロックするとともに、繰り出された目盛帯１を巻き取るために引っ張られることによって前記ロックが解除されるロック機構２０とを備えている。【選択図】図５
2009258043.tif 000002
【特許請求の範囲】
【請求項１】
長尺な目盛帯が巻回された状態から繰り出され、また、巻回された状態に巻き取られる巻尺であって、
繰り出された目盛帯よりも下向きとなる垂下姿勢と、目盛帯の長さ方向と同一方向となる横向姿勢とに方向転換可能な突出片と、該突出片を垂下姿勢でロックし、かつ、繰り出された目盛帯を引っ張ることによって前記ロックが解除されるロック機構とを備えた仮固定手段が前記目盛帯の先端に取り付けられていることを特徴とする巻尺。
【請求項２】
前記ロック機構は、前記突出片の基端部側を覆って軸支するカバー内に備えられ、突出片の基端部に設けられた係止部と、該係止部に当接することにより、突出片を垂下姿勢と横向姿勢とに規制するバネ部材と、突出片が垂下姿勢となったときに、係止部を係止するためにカバーに設けられた被係止部とを備えていることを特徴とする請求項１に記載の巻尺。
【発明の詳細な説明】
【技術分野】
【０００１】
本発明は、目盛りを付けた長尺な目盛帯が巻回された状態から繰り出され、また巻回された状態に巻き取られる巻尺に関し、詳しくは、１人の作業者でも長い距離を正確に測定することができるようにした巻尺に関する。
【背景技術】
【０００２】
巻尺は、目盛を付けた長尺な目盛帯や、この目盛帯を巻いた状態に収納するケース（複数本の棒状部材を組み合わせただけのものを含む。）などを備えたものであるが、用途に合わせて、各種提供されている。そして、例えば、１０ｍ以上もの距離を測量するときには、一般的に主務者と補助者の２人の作業者が一つの巻尺を使用する。すなわち、補助者が目盛帯の先端を保持し、その先端を測量起点に位置合わせし、主務者が目盛帯を引き出しながら測量終点まで移動し、目盛りを読み取り、測量データを記録及び収集する。
【０００３】
しかし、作業者が１人で１０ｍ以上もの距離を測量しなければならない場合もある。このような場合にあっては、１人の作業者が例えば測量起点で目盛帯の先端に石などの重しを置き、目盛帯を引き出しながら測量終点まで移動し、測量後に測量起点まで戻って目盛帯の先端に置いた重しを除去しなければならない。しかし、このような作業は、面倒であり、作業効率もよいといえない。また、重しを目盛帯の先端に置かないで、測量すると、１人の作業者が目盛帯を引き出しながら移動することによって、目盛帯の先端が位置ずれし、測量精度が低下することもある。
【０００４】
そこで、作業者が１人でも長い距離を測定をすることができるようにした補助用具付き巻尺が特許文献１に開示されている。この補助用具付き巻尺は、図１０に示すように、目盛帯１０１の先端に爪部１０２が取り付けられ、この爪部１０２に止め針部１１１を突設した爪持着部１１０が取り付けられている。この補助用具付き巻尺は、針止めが可能な測定物に止め針部１１１を針止めし、目盛帯１０１を引き出す。したがって、この補助用具付き巻尺は、１人でも長い測定物を測定することができる。
【０００５】
【特許文献１】特開平１０−２５３３０２号公報
【発明の開示】
【発明が解決しようとする課題】
【０００６】
特許文献１に開示された補助用具付き巻尺は、止め針部１１１が爪持着部１１０に突設されているため、引き出された目盛帯１０１を測定後に巻き取るときに、止め針部１１１が何らかの物体に突き当たり、支障が生じることがある。例えば、土地を測量している場合にあっては、止め針部１１１が草木に引っ掛かったり、地面を擦ったりすることにより、目盛帯１０１を巻き取りにくくなる。また、床や家具などを測定している場合にあっては、止め針部１１１が床や家具などを傷付けることになる。
【０００７】
そこで、本発明は、１人の作業者が長い距離を測定することができるだけでなく、巻き取りに際して、支障が生じないようにした巻尺を提供することを課題とする。
【課題を解決するための手段】
【０００８】
本発明に係る巻尺は、長尺な目盛帯が巻回された状態から繰り出され、また、巻回された状態に巻き取られる巻尺であって、繰り出された目盛帯よりも下向きとなる垂下姿勢と、目盛帯の長さ方向と同一方向となる横向姿勢とに方向転換可能な突出片と、該突出片を垂下姿勢でロックし、かつ、繰り出された目盛帯を引っ張ることによって前記ロックが解除されるロック機構とを備えた仮固定手段が前記目盛帯の先端に取り付けられていることを特徴としている。
【０００９】
この巻尺によれば、１人の作業者が突出片を垂下姿勢として測定起点に例えば地面から地中に突き刺し、そして、目盛帯を繰り出しながら測定終点まで移動して測定することができる。目盛帯が繰り出されても、突出片は、ロック機構によって垂下姿勢でロックされ、測定起点に突き刺されたままとなる。したがって、目盛帯が繰り出され、引っ張られる状態となっても、目盛帯の先端側が引き寄せられることがなく、正確に測定することができる。そして、測定後に、作業者が目盛帯を手前に引っ張ると、ロック機構のロックが解除され、突出片が地面から引き抜かれるとともに、目盛帯の長さ方向と一致する横向姿勢となる。したがって、目盛帯を巻き取るときに、突出片が草木などに引っ掛かったり、地面を擦ったりしないため、目盛帯を巻回された状態に巻き取るに際して、目盛帯の先端に取り付けられた仮固定手段を作業者の方へスムーズに引き寄せることができる。
【００１０】
また、前記本発明に係る巻尺において、前記ロック機構は、前記突出片の基端部側を覆って軸支するカバー内に備えられ、突出片の基端部に設けられた係止部と、該係止部に当接することにより、突出片を垂下姿勢と横向姿勢とに規制するバネ部材と、突出片が垂下姿勢となったときに、係止部を係止するためにカバーに設けられた被係止部とを備えていることが好ましい。
【００１１】
この巻尺によれば、ロック機構が突出片の基端部に設けられた係止部と、突出片を垂下姿勢と横向姿勢とに規制するバネ部材と、突出片が垂下姿勢となったときに、係止部を係止する被係止部とを備えたものとすることにより、シンプルな構成とすることができ、塵芥などによって故障しにくく、また、耐久性を向上させることができる。
【発明の効果】
【００１２】
本発明に係る巻尺によれば、仮固定手段が目盛帯の先端に取り付けられ、仮固定手段が垂下姿勢と横向姿勢とに方向転換可能な突出片と、突出片を垂下姿勢で維持させるロック機構と備えたものとされていることにより、１人の作業者によって正確に測定し、さらに測定後の目盛帯を効率的に巻き取ることができるだけでなく、目盛帯の巻き取りに際して、支障が生じないようにすることができる。
【発明を実施するための最良の形態】
【００１３】
本発明に係る巻尺の第１の実施形態の構成について図１ないし図５を参照しながら説明する。この巻尺は、目盛（図示せず）を付けた長尺な目盛帯１の先端に仮固定手段２を取り付けたことを特徴としている。
【００１４】
目盛帯１は、ケース（図示せず）内で巻回された状態から繰り出され、また、ケース内に巻回された状態に巻き取られる。仮固定手段２は、垂下姿勢と横向姿勢とに方向転換可能な舌片状の突出片１０と、この突出片１０が垂下姿勢を維持するようにロックし、及び横向姿勢となれるようにロック解除するロック機構２０と、突出片１０の基端部１２側及びロック機構２０を収納するカバー３０とを備えている。
【００１５】
カバー３０は、平面視がＵ字形の底板部３１と、底板部３１の両側縁に立設された一対の側板部３２，３２と、両側板部３２，３２の上縁に架け渡された天板部３３と有している。底板部３１は、基盤部３１ａの一端から２本の突出部３１ｂ，３１ｂが突出し、この突出部３１ｂ，３１ｂ間に切欠部３１ｃが形成されている。
【００１６】
また、カバー３０は、底板部３１の切欠部３１ｃ側に開口部３４が設けられ、底板部３１の基盤部３１ａ側に狭窄部を設けるように、天板部３３が傾斜している。そして、目盛帯１の先端が狭窄部からカバー３０内に挿入され、底板部３１の基盤部３１ａにネジ３などによって固定される。したがって、この仮固定手段２は、既存の巻尺の目盛帯１に取り付けることができる。
【００１７】
なお、底板部３１と側板部３２，３２とが一体化され、天板部３３が別体とされているときは、底板部３１と天板部３３とがボルト及びナットからなる締結具３６などによって一体化してもよい。こうすることにより、この仮固定手段２は、ロック機構２０が故障したときなどにおいて、ロック機構２０を修理や交換などすることができる。
【００１８】
また、突出片１０は、板状部材で、先端部１１側が図示したような半円形、図示しない尖端形状とされ、地面などに突き刺しやすいようにされている。そして、突出片１０は、基端部１２に回転軸１３が設けられ、この回転軸１３がカバー３０の各側板部３２，３２に取り付けられ、突出片１０が繰り出された目盛帯１よりも下向きとなる垂下姿勢と、目盛帯１の長さ方向と同一方向となる横向姿勢とに方向転換することができるようにされている。すなわち、突出片１０は、カバー３０の底板部３１に切欠部３１ｃが形成されているため、切欠部３１ｃを通過して垂下姿勢と横向姿勢とに方向転換することができ、カバー３０には開口部３４が形成されているため、突出片１０は横向姿勢となることができる。
【００１９】
また、ロック機構２０は、突出片１０の基端部１２に取り付けられ、かつ、通常は突出片１０を横向姿勢に付勢するバネ部材２１と、突出片１０の基端部１２に設けた係止部２２と、突出片１０が垂下姿勢となったときに、係止部２２を係止（ロック）して、また、目盛帯１を巻き取るために引っ張られたときに、ロックを解除する被係止部２３とを備えている。
【００２０】
バネ部材２１は、捩りコイルバネを使用することができ、例えば図示したようなトーションバネであると、突出片１０には、バネ部材２１の中心部分を巻装するための小孔が形成され、バネ部材２１の一端部が突出片１０の底面に当接している。ただし、図示しないが、バネ部材２１は、捩りコイルバネの中心部を突出片１０に回転軸１３に巻装し、一端部が突出片１０の底面に当接するようにしてもよい。
【００２１】
いずれにしても、バネ部材２１の他端部は、カバー３０の天板部３３に当接している。このバネ部材２１の他端部が、カバー３０の天板部３３上を滑らないようにするため、カバー３０の天板部３３にはバネ部材２１の他端部を保持するような係合部３５が設けられている。この係合部３５は、図示したようにカバー３０の天板部３３の内側面に突出した突起によって構成してもよいし、カバー３０の天板部３３の内側面を凹ませた窪み部によって構成してもよい。
【００２２】
そして、係止部２２は、突出片１０が垂下姿勢となったときに、先端部がカバー３０の天板部３３に近接する長さとされ、図示したように、バネ部材２１が突出片１０の中心部に巻装される場合は回転軸１３の各端部に設けられ、バネ部材２１が回転軸１３に巻装される図示しない場合は、突出片１０の中心部に設けられる。いずれにしても、垂下姿勢となった突出片１０に設けられた係止部２２を係止する被係止部２３がカバー３０の天板部３３の内側面に設けられている。
【００２３】
この係止部２２が被係止部２３に係止することにより、突出片１０は、垂下姿勢を維持するようにロックされる。ただし、この被係止部２３は、繰り出された目盛帯１を測定後に巻き取るために目盛帯１を引っ張ったときに、係止部２２が被係止部２３から外れ、ロックが解除される。なお、被係止部２３は、適度な弾力性を有していてもよい。
【００２４】
次に、本発明に係る巻尺の第２の実施形態の構成について図６ないし図９を参照しながら説明する。この巻尺も、第１の実施形態と同じく、目盛（図示せず）を付けた長尺な目盛帯１の先端に仮固定手段２を取り付けたことを特徴としており、第１の実施形態と同一部分は、同一符号を付して説明する。
【００２５】
第２の実施形態の仮固定手段２は、第１の実施形態と同様、舌片状の突出片１０と、ロック機構２０と、突出片１０の基端側及びロック機構２０を収納するカバー３０とを備えている。ただし、ロック機構２０は、第１の実施形態と異なり、底板部３１の突出部３１ｂ，３１ｂ上に取り付けられたバネ部材２１と、突出片１０の回転軸１３に取り付けられた楕円形状の係止部２２と、突出片１０が垂下姿勢となった状態をロック及びロック解除するため、係止部２２を係止する被係止部２３とを備えている。
【００２６】
バネ部材２１は、一端部が底板部３１の突出部３１ｂ，３１ｂにピン（リベット）４などによって固定され、他端部が底板部３１の基盤部３１ａの方を向いて、係止部２２の方へ浮き上がる板バネによって構成される。
【００２７】
そして、係止部２２は、突出片１０の回転軸１３に取り付けられ、正面視が楕円形状の駒状部材によって構成される。この駒状部材の係止部２２は、突出片１０が横向姿勢となると、楕円の短軸の下側の頂点２２ａがバネ部材２１の浮き上がっている他端部に当接し、突出片１０が横向姿勢を維持し、突出片１０が垂下姿勢となると、楕円の長軸の上側の頂点２２ｂが被係止部２３に係止される。
【００２８】
この被係止部２３は、突出片１０が垂下姿勢から横向姿勢となるようにカバー３０の天板部３３に突設され、突出片１０が垂下姿勢となった状態において、上向となった長軸の頂点２２ｂを係止するとともに、下向きとなった長軸の頂点２２ｃがバネ部材２１を押し下げることによっても突出片１０をロックし、繰り出された目盛帯１を測定後に巻き取るために引っ張ったときに、ロックを解除する。なお、この被係止部２３は、適度な弾力性を有していてもよい。
【００２９】
ここで、前記のように構成された第１と第２の実施形態の巻尺の使用方法について説明する。巻尺は、保管ないし測定する前においては、図１〜図４及び図６〜図８に示すように、突出片１０が横向姿勢とされている。このとき、突出片１０は、バネ部材２１に規制され、横向姿勢を維持し、傾斜姿勢や垂下姿勢とならない。
【００３０】
そして、１人の作業者が突出片１０を摘んで垂下姿勢とする。すると、係止部２２が被係止部２３に係止され、突出片１０は、ロック機構２０によってロックされた状態となって垂下姿勢を維持する。なお、突出片１０は、カバー３０の底板部３１に切欠部３１ｃが設けられ、２本の突出部３１ｂ，３１ｂ間を通過して垂下姿勢となる。
【００３１】
そして、図５及び図９に示すように、１人の作業者が突出片１０の先端部１１ないし中間部を測定起点、例えば地面から地中に突き刺す。続いて、この１人の作業者が巻尺を持って、目盛帯１を繰り出しながら測定終点まで移動する。このとき、突出片１０は、ロック機構２０によってロックされ、垂下姿勢を維持するため、地面から引き抜かれず、目盛帯１の先端側及び仮固定手段２は、移動している１人の作業者の方へ引き寄せられない、換言すれば、位置ずれしない。
【００３２】
そして、１人の作業者が測定終点で目盛りを読み取り、測定データを記録及び収集する。目盛帯１の先端側が測定する起点から位置ずれしていないため、正確な測定データを記録及び収集することができる。
【００３３】
その後、１人の作業者は、測定終点で目盛帯１を手前に引っ張る。すると、ロック機構２０のロックが解除され、突出片１０の先端部１１ないし中間部は、地中から引き抜かれつつ、横向姿勢となる。したがって、突出片１０の先端部１１が草木などに引っ掛かったり、地面を擦ったりすることがなく、１人の作業者は、仮固定手段２を引き寄せ、目盛帯１をスムーズに巻き取ることができる。このように、この巻尺を使用することにより、１人の作業者が効率的に、しかも正確に測定することができる。
【００３４】
なお、本発明は、前記実施の形態に限定することなく、種々変更することができる。例えば、目盛帯１の先端には、仮固定手段２を取り付けただけのものを図示したが、ストラップも取り付けておき、２人の作業者が測定するときにも使い勝手がよいようにしておくこともできる。また、前記実施の形態では、突出片１０を地面に刺し込む場合について説明したが、突出片１０を側溝などに係止して測定することもできる。
【図面の簡単な説明】
【００３５】
【図１】本発明に係る巻尺の第１の実施形態を示す斜視図である。
【図２】本発明に係る巻尺の第１の実施形態であって、突出片が横向姿勢とされた状態を示す図３のＩＩＩ−ＩＩＩ線断面の断面正面図である。
【図３】本発明に係る巻尺の第１の実施形態であって、突出片が横向姿勢とされた状態を示す図２のＩＩ−ＩＩ線断面の断面平面図である。
【図４】本発明に係る巻尺の第１の実施形態であって、突出片が横向姿勢とされた状態示す側面図である。
【図５】本発明に係る巻尺の第１の実施形態であって、突出片が垂下姿勢とされた状態を示す断面正面図である。
【図６】本発明に係る巻尺の第２の実施形態であって、突出片が横向姿勢とされた状態を示す図７のＶＩＩ−ＶＩＩ線断面の断面正面図である。
【図７】本発明に係る巻尺の第２の実施形態であって、突出片が横向姿勢とされた状態を示す図６のＶＩ−ＶＩ線断面の断面平面図である。
【図８】本発明に係る巻尺の第２の実施形態であって、突出片が横向姿勢とされた状態を示す側面図である。
【図９】本発明に係る巻尺の第２の実施形態であって、突出片が垂下姿勢とされた状態を示す断面正面図である。
【図１０】従来の巻尺を示す斜視図である。
【符号の説明】
【００３６】
１……目盛帯
２……仮固定手段
１０…突出片
１２…基端部
２０…ロック機構
２１…バネ部材
２２…係止部
２３…被係止部
３０…カバー
【図１】
2009258043.tif 000003
【図２】
2009258043.tif 000004
【図３】
2009258043.tif 000005
【図４】
2009258043.tif 000006
【図５】
2009258043.tif 000007
【図６】
2009258043.tif 000008
【図７】
2009258043.tif 000009
【図８】
2009258043.tif 000010
【図９】
2009258043.tif 000011
【図１０】
2009258043.tif 000012